(57)【要約】【課題】無線通信機能を有している種々の機器が無線通信を禁止している領域では確実に電波を発信することがなくなる。【解決手段】複数の領域を移動可能な無線端末と、それら複数の領域のいずれかに無線端末が移動したことを検出する検出手段と、その検出手段により無線端末の移動が検出されると無線端末に所定の信号を送信する送信手段とを備えたものであって、この無線端末は、所定の信号を受信する受信手段と、その受信手段が受信した所定の信号に基づいて所定の周波数帯域の無線通信を禁止するかどうかを判定する判定手段と、その判定手段により所定の周波数帯域の無線通信を禁止すると判定された場合に禁止された所定の周波数帯域の電波の送受信を停止する停止手段とを備えている。【選択図】      図５
2004266738.tif 000002
【特許請求の範囲】
【請求項１】
複数の領域を移動可能な無線通信機能を有している無線端末と、
前記複数の領域のいずれかに前記無線端末が移動したことを検出する検出手段と、
前記検出手段により前記無線端末の移動が検出されると前記無線端末に所定の信号を送信する送信手段と、を備えた無線端末システムであって、
前記無線端末は、前記所定の信号を受信する受信手段と、
前記受信手段が受信した前記所定の信号に基づいて所定の周波数帯域の無線通信を禁止するかどうかを判定する判定手段と、
前記判定手段により所定の周波数帯域の無線通信を禁止すると判定された場合に前記禁止された所定の周波数帯域の電波の送受信を停止する停止手段と、を備えていること、を特徴する無線端末システム。
【請求項２】
前記無線端末は、使用する周波数帯域の異なった複数種類の無線通信手段と、
前記判定手段の判定結果で無線通信が禁止されない周波数帯域がある場合に前記所定の信号に基づいて前記複数種類の無線通信手段の中から使用する無線通信手段を選択する選択手段と、をさらに備えていること、を特徴とする請求項１に記載の無線端末システム。
【請求項３】
前記無線端末を複数備え、
前記複数の領域のうち、無線通信が禁止されずかつ前記複数の無線端末の少なくとも１つを有している領域内に、前記領域内の少なくとも１つの無線端末と異なった前記無線端末が入ってくると、
前記送信手段は、前記領域内の少なくとも１つの無線端末で使用されていない周波数帯域の無線通信手段を使用する信号を、前記領域内に入ってくる無線端末に送信し、
前記領域内の少なくとも１つの無線端末で使用されていない周波数帯域がない場合、無線通信を禁止する信号を、前記領域内に入ってくる無線端末に送信すること、を特徴とする請求項１または請求項２のいずれかに記載の無線端末システム。
【請求項４】
前記検出手段及び前記送信手段は、前記複数の領域の各々の境界線近傍に備えられ、
前記複数の境界線の各々を前記無線端末が通過すると、前記通過された境界線近傍に備えられた前記検出手段は、前記通過した無線端末が前記境界線をいずれの方向に向かって通過したかを検出し、
前記通過された境界線近傍に備えられた前記送信手段は、前記検出された方向に応じた前記所定の信号を前記通過した無線端末に送信すること、を特徴とする請求項１から請求項３のいずれかに記載の無線端末システム。
【請求項５】
前記所定の信号は赤外線信号であること、を特徴とする請求項１から請求項４のいずれかに記載の無線端末システム。
【請求項６】
前記複数の領域の各々の境界線を、病院内に備えられている複数の部屋の各々と前記複数の部屋の外とにより規定し、
前記複数の部屋の各々の出入口近傍に前記検出手段と前記送信手段とを備えていること、を特徴とする請求項４または請求項５のいずれかに記載の無線端末システム。
【請求項７】
前記無線端末が前記複数の部屋の各々を退室するとき、前記所定の信号は、前記無線端末が使用可能な周波数帯域を入室前の状態にすること、を特徴とする請求項６に記載の無線端末システム。
【請求項８】
前記無線端末が前記複数の部屋の各々を退室するとき、前記所定の信号は、入室時に選択された使用可能な周波数帯域の設定を解除すること、を特徴とする請求項６に記載の無線端末システム。
【請求項９】
前記無線端末が無線で送受信する情報は内視鏡装置により取得された情報であること、を特徴とする請求項１から請求項８のいずれかに記載の無線端末システム。
【請求項１０】
前記無線端末は内視鏡装置を搭載するカートに設置されていること、を特徴とする請求項１から請求項９のいずれかに記載の無線端末システム。
【請求項１１】
前記検出手段は、前記カートに備えられている車輪と接触することにより回動するローラーと、
前記ローラーの回動に応じてそれぞれ異なった信号を出力するセンサ部と、
前記所定の信号を前記送信手段に送信するコントローラと、を備え、
前記コントローラは、前記センサ部から出力された信号と、前記送信手段への前記所定の信号の送信履歴とに基づいて、前記所定の信号を前記送信手段に送信すること、を特徴とする請求項１０に記載の無線端末システム。
【請求項１２】
複数の領域を移動可能な内視鏡装置と、
前記複数の領域のいずれかに前記内視鏡装置が移動したことを検出する検出手段と、
前記検出手段により前記内視鏡装置の移動が検出されると前記内視鏡装置に所定の信号を送信する送信手段と、を備えたシステムであって、
前記内視鏡装置は、前記所定の信号を受信する受信手段と、
内視鏡に関する情報の送受信を行う複数種類の通信手段と、
前記受信した前記所定の信号に基づいて前記複数種類の通信手段の中から使用する通信手段を選択する選択手段と、を有していること、を特徴とするシステム。
【発明の詳細な説明】
【０００１】
【発明の属する技術分野】
この発明は、複数の領域を移動可能な無線通信機能を有している無線端末を備えている無線端末システムに関する。
【０００２】
【従来の技術】
病院内において検査室に設置されている内視鏡を含む種々の診断及び観察装置で取得された画像データや音声データは、磁気記録媒体などに記録されて手渡しで送られている。しかしながら診察結果などの医療データが記録されている記録媒体を持ち運ぶことは病院側にとって煩雑な作業である。
【０００３】
近年、ネットワーク機器の価格低下により病院内でネットワークを構築することは容易となってきている。また、無線通信機能を有するデジタル機器の普及により無線のネットワークも安価で構築することができるようになってきている。そのため、配線作業によりネットワークの構築が煩雑な有線のネットワークではなく、病院側が責任を持って病院内に無線基地局を設置して、病院内で弱電波機器を利用した、ネットワークの構築が容易な無線のネットワークを使用している施設も増加してきている。
【０００４】
また、種々の診断及び観察装置自体に無線通信機能を付加することでそれらの装置のワイヤレス化を図り、ケーブル類の減菌処理の手間を軽減して、診断や手術を迅速に開始することができる装置が提案されている。（例えば、特許文献１参照）。
【０００５】
【特許文献１】
特開２００２−３０１０２３号公報（第３、４頁、第１図）
【０００６】
【発明が解決しようとする課題】
しかしながら、これらの無線通信機能を有する機器は、常時高周波の電波を発信しているため、その電波の影響により他の機器の誤作動を招くことがある。従って、電車内や病院内では携帯電話を始めとする高周波電波を発信する機器の使用を控えるように促している。
【０００７】
通常、無線のネットワークを導入する病院では、その無線のネットワークから発信される電波の影響により病院内の各部屋に設置されている種々の医療機器が誤作動しないかどうかを検証するテストを、無線のネットワークを導入する前に実施する。このテストで、無線のネットワークにより誤作動した医療機器がなかった部屋は無線通信を許可する部屋とし、無線のネットワークにより誤作動した医療機器があった部屋は無線通信を禁止する部屋とする。この検証テストの結果に加えて、設置されている医療機器に関係なく無線通信を禁止する必要がある部屋を考慮して、病院側は、無線通信を行ってよい部屋と無線通信を行ってはならない部屋とを明瞭に把握している。
【０００８】
内視鏡を含む無線通信機能を有している種々の診断及び観察装置は、病院内の検査室の数だけあるとは限らないため、検査室間をその装置ごと移動させることがある。しかしながら検査室を移動する毎に入室する部屋に応じて無線通信機能を操作しなければならないため、術者にとって煩雑な作業となっていた。
【０００９】
また、無線通信機能を有する装置が複数設置されている部屋では、互いの装置から発信されている電波が混信することがあり、互いの装置の誤作動を引き起こすこともあった。
【００１０】
そこで、本発明は上記の事情に鑑み、無線通信機能を有している種々の機器が、無線通信が禁止されている領域では確実に電波を発信することなく、さらに、互いの機器から発信される電波により混信することがない無線端末システムを提供することを目的とする。
【００１１】
【課題を解決するための手段】
上記の課題を解決する本発明の一態様に係る無線端末システムは、複数の領域を移動可能な無線通信機能を有している無線端末と、それら複数の領域のいずれかに無線端末が移動したことを検出する検出手段と、その検出手段により無線端末の移動が検出されると無線端末に所定の信号を送信する送信手段とを備えたものである。この無線端末システムに備えられている無線端末は、所定の信号を受信する受信手段と、その受信手段が受信した所定の信号に基づいて所定の周波数帯域の無線通信を禁止するかどうかを判定する判定手段と、その判定手段により所定の周波数帯域の無線通信を禁止すると判定された場合に前記禁止された所定の周波数帯域の電波の送受信を停止する停止手段とを備えている。従ってこの無線端末システムでは、無線端末は無線通信が禁止されている領域内で確実に電波を発信することがなくなる。その結果、無線端末から発信する電波により他の装置が誤作動することを防止できる。
【００１２】
また、上記無線端末システムにおいて、無線端末は、使用する周波数帯域の異なった複数種類の無線通信手段と、判定手段の判定結果で無線通信が禁止されない周波数帯域がある場合に所定の信号に基づいて複数種類の無線通信手段の中から使用する無線通信手段を選択する選択手段とをさらに備えている。従って、使用する周波数帯域の異なった複数種類の無線通信手段を、無線端末の周囲の状況に応じて使い分けることが可能となる。
【００１３】
また、上記無線端末システムは、無線端末を複数備えており、複数の領域のうち、無線通信が禁止されずかつ複数の無線端末の少なくとも１つを有している領域内に、その領域内の少なくとも１つの無線端末と異なった無線端末が入ってくると、送信手段は、その領域内の少なくとも１つの無線端末で使用されていない周波数帯域の無線通信手段を使用する信号を、領域内に入ってくる無線端末に送信し、その領域内の少なくとも１つの無線端末で使用されていない周波数帯域がない場合、無線通信を禁止する信号を、領域内に入ってくる無線端末に送信する。従って、同一領域内で同じ周波数帯域を使用している無線端末がなくなり、複数の無線端末が各々発信する電波により混信することがなくなる。その結果、互いの機器から発信する電波による誤作動がなくなる。
【００１４】
また、上記無線端末システムにおいて、検出手段及び送信手段は、複数の領域の各々の境界線近傍に備えられている。これら複数の境界線の各々を無線端末が通過すると、通過された境界線近傍に備えられた検出手段は、通過した無線端末が境界線をいずれの方向に向かって通過したかを検出する。そして、通過された境界線近傍に備えられた送信手段は、検出手段に検出された方向に応じた所定の信号を通過した無線端末に送信する。すなわち、隣接する２つの領域の各々に入る無線端末に、それぞれ異なった信号を、１つの検出手段及び送信手段で送信することができる。
【００１５】
また、上記無線端末システムにおいて所定の信号は赤外線信号である。赤外線信号は指向性を有する信号であるため、所定の信号を確実に所定の無線端末に入力させることができる。
【００１６】
また、上記無線端末システムは、複数の領域の各々の境界線を、病院内に備えられている複数の部屋の各々と複数の部屋の外とにより規定しており、これら複数の部屋の各々の出入口近傍に検出手段と送信手段とを備えている。さらに、無線端末が複数の部屋の各々を退室するとき、所定の信号は、無線端末が使用可能な周波数帯域を入室前の状態にしたり、入室時に選択された使用可能な周波数帯域の設定を解除したりする。すなわち、複数の部屋の各々及びそれらの部屋の外によって無線端末の無線通信の状態（無線通信可または不可、いずれの周波数帯域の無線を使用するかなど）を自動的に切替えることが可能となる。
【００１７】
また、上記無線端末システムにおいて無線端末が無線で送受信する情報は内視鏡装置により取得された情報である。
【００１８】
また、上記無線端末システムにおいて、無線端末は内視鏡装置を搭載するカートに設置されている。また、検出手段は、カートに備えられている車輪と接触することにより回動するローラーと、このローラーの回動に応じてそれぞれ異なった信号を出力するセンサ部と、所定の信号を送信手段に送信するコントローラとを備えている。この検出手段に備えられているコントローラは、センサ部から出力された信号と、送信手段への所定の信号の送信履歴とに基づいて所定の信号を送信手段に送信する。従って、内視鏡装置を搭載しているカートごと複数の部屋の各々を出入りすると、それらの部屋の各々を出入りする度に無線端末に所定の信号が送信される。
【００１９】
また、上記の課題を解決する本発明の一態様に係るシステムは、複数の領域を移動可能な内視鏡装置と、複数の領域のいずれかに内視鏡装置が移動したことを検出する検出手段と、検出手段により内視鏡装置の移動が検出されると内視鏡装置に所定の信号を送信する送信手段とを備えたものである。このシステムの内視鏡装置は、所定の信号を受信する受信手段と、内視鏡に関する情報の送受信を行う複数種類の通信手段と、受信した所定の信号に基づいて複数種類の通信手段の中から使用する通信手段を選択する選択手段とを有している。
【００２０】
【発明の実施の形態】
図１は、本発明の実施形態に用いられる無線端末１００の構成を示す正面図である。この無線端末１００は、内視鏡光源装置１０と、ファイリング用装置２０と、プリンタ３０と、ＵＰＳ（無停電電源装置）４０と、モニタ５０と、絶縁トランス６０と、無線機７０と、これら全ての機器を搭載しているカート８０から構成されている。カート８０には車輪８２が備えられているため、このカート８０により上記の全ての機器を搭載したまま病院内を移動することができる。また、このカート８０には内視鏡ハンガー８４が備えられており、図示しない電子内視鏡は通常この内視鏡ハンガー８４にぶら下げられている。また、無線端末１００は、検査室内では商用電源から電源電圧が供給されているが、移動時にはＵＰＳ４０から電源電圧が供給されている。なお、本実施形態では、複数台の無線端末が用いられている。これらの複数の無線端末の各々において、図１で示す無線端末１００と同一の構成には、同一の符号を付してここでの詳細な説明は省略する。
【００２１】
図２は、本発明の実施形態に用いられる無線端末１００の構成を示すブロック図である。内視鏡光源装置１０は、電子内視鏡に体腔内を照明する光を供給する光源部と、電子内視鏡により得られた画像信号に所定の処理を施して映像信号に変換する画像信号処理部とを備えている。この内視鏡光源装置１０によって生成された映像信号はファイリング用装置２０に送信されて、このファイリング用装置２０に、電子内視鏡により得られた体腔内の画像情報として保存される。また、この映像信号はモニタ５０に出力されて、モニタ５０において電子内視鏡によって撮像された映像として表示される。プリンタ３０はファイリング用装置２０に保存されている画像情報をプリントすることができる。また、絶縁トランス６０は、外部から内視鏡光源装置１０、ファイリング用装置２０、及びプリンタ３０に流れ込んでくるノイズをカットするために備えられたものである。なお、ファイリング用装置２０に保存される情報は、上述の画像情報に限ることなく、診察時に使用した種々の機器の設定（例えば、画像情報に関係したものであれば、設定されているエンハンス、色情報、ホワイトバランスを示す値など）を記録した情報などであったり、音声情報であったりしてもよい。
【００２２】
無線機７０は、赤外線レシーバー７２と、ＬＡＮデバイス７４と、マイコン７６と、無線デバイス７８と、無線デバイス７９と、スイッチＳＷ１と、スイッチＳＷ２から構成されている。
【００２３】
赤外線レシーバー７２は外部から送信されてくる赤外線信号を受信して、その受信した信号をマイコン７６に送信する。ＬＡＮデバイス７４はファイリング用装置２０とマイコン７６とを接続し、ファイリング用装置２０に保存されている電子内視鏡により得られた画像情報を、マイコン７６に入力させる機能を有している。また、このＬＡＮデバイス７４はマイコン７６が無線デバイス７８または７９から取得した情報を、ファイリング用装置２０に入力させる機能を有している。
【００２４】
無線デバイス７８はマイコン７６から送信された画像情報を外部機器に電波で送信する機能と、外部機器から送信される電波を受信してマイコン７６に送信する機能を有している。この無線デバイス７８と商用電源（またはＵＰＳ４０）との間にはスイッチＳＷ１が設けられている。このＳＷ１がオンの場合、無線デバイス７８は電源電圧が供給されているため、常時電波を発信している状態となっている。また、スイッチＳＷ１がオフの場合、無線デバイス７８は電源電圧が供給されていないため、電波を発信していない状態となっている。
【００２５】
また、無線デバイス７９も同様に、マイコン７６から送信された画像情報を外部機器に電波で送信する機能と、外部機器から送信される電波を受信してマイコン７６に送信する機能を有している。この無線デバイス７９と商用電源（またはＵＰＳ４０）との間にはスイッチＳＷ２が設けられている。このスイッチＳＷ２がオンの場合、無線デバイス７９は電源電圧が供給されているため、常時電波を発信している状態となっている。また、スイッチＳＷ２がオフの場合、無線デバイス７９は電源電圧が供給されていないため、電波を発信していない状態となっている。なお、これらの無線デバイス７８と無線デバイス７９はそれぞれ異なった周波数帯域の電波を使用するもので、例えば、無線デバイス７８はＩＥＥＥ８０２．１１ｘでデータを送受信するものであったり、無線デバイス７９はＢｌｕｅｔｏｏｔｈでデータを送受信するものであったりする。これらの無線デバイスから外部機器に送信される電波に含まれる情報は、電子内視鏡により得られた画像情報であったり、診察時に使用した種々の機器の設定を記録した上述の情報であったり、音声情報であったりする。
【００２６】
図３は、本発明の実施形態に用いられる病院の無線アクセスポイントが設置されているフロア４００を示す図である。このフロア４００は、検査室４１０〜４５０の５つの部屋や、フロア４００内においてこれらの検査室の外の部分に該当する廊下などから構成されている。
【００２７】
上述した複数台ある無線端末１００はフロア４００の各部屋に頻繁に出入りするため、このフロア４００の廊下においてこれらの無線端末１００が無線通信可能なように、このフロア４００の廊下には無線アクセスポイント１１０が設置されている。この無線アクセスポイント１１０は、複数台ある無線端末１００がＩＥＥＥ８０２．１１ｘやＢｌｕｅｔｏｏｔｈなどによるデータの送受信を行うことができるよう設置されているものである。
【００２８】
検査室４１０〜４５０の各部屋の出入口近傍には、カートセンサ２１０〜２５０及び赤外線投光部３１０〜３５０がそれぞれ備えられている。また、検査室４４０内には無線アクセスポイント１２０が設置されており、検査室４５０内には無線アクセスポイント１３０が設置されている。これらの無線アクセスポイントは、無線アクセスポイント１１０と同様に、無線端末１００が無線によるデータの送受信を行うことができるよう設置されているものである。また、これらの無線アクセスポイントは、検査室４１０〜４３０のいずれの検査室にも設置されていない。
【００２９】
無線アクセスポイントが設置されている部屋は、無線端末１００が無線通信を行った場合でもそこから発信される電波により誤作動を起こす機器がない部屋である。すなわち、無線通信が許可された部屋である。無線アクセスポイントが設置されていない部屋は、無線端末１００が無線通信を行うとそこから発信される電波により誤作動を起こす機器がある部屋である。すなわち、無線通信が禁止された部屋である。また、無線に用いられる電波はその種類によって周波数帯域がそれぞれ異なるため、無線アクセスポイントが設置されている部屋であっても、その部屋に設置されている機器により、使用してよい周波数帯域の無線と、使用してはならない周波数帯域の無線とがある。例えば、検査室４４０ではＩＥＥＥ８０２．１１ｘとＢｌｕｅｔｏｏｔｈのいずれを使用しても検査室４４０内に設置されている機器が誤作動することはないが、検査室４５０ではＢｌｕｅｔｏｏｔｈを使用すると検査室４５０内に設置されている機器が誤作動し、ＩＥＥＥ８０２．１１ｘを使用するとそれらの機器が誤作動しないということがある。なお、各検査室に設置されている機器の無線端末１００から発信される電波による誤作動は、病院側が予め検証テストを行い、無線端末システム導入前にその全てを把握しておくものである。
【００３０】
図４は、本発明の実施形態に用いられるフロア４００にある検査室４４０の出入口近傍を示す図である。この検査室４４０の出入口近傍には、上述したように、カートセンサ２４０及び赤外線投光部３４０が備えられている。なお、フロア４００の検査室４４０以外の検査室出入口近傍にも、この検査室４４０の出入口近傍と同様の構造が備えられている。従って、フロア４００の検査室４４０以外の検査室出入口近傍の説明は省略するものとする。
【００３１】
検査室４４０の出入口近傍に備えられているカートセンサ２４０は、ローラー２４１と、ベルト２４２と、エンコード用反射ユニット２４３と、フォトセンサ２４４と、コントローラ２４５から構成されている。このカートセンサ２４０は、ローラー２４１の回転方向及び検査室４４０の状況に応じて赤外線投光部３４０に信号を出力するものである。以下に、このカートセンサ２４０の構成を説明する。
【００３２】
ローラー２４１は、円柱形状を有しており、その曲面部に長手方向と垂直な方向の外力が加わると軸２４１ａを中心に回動するよう構成されている。このローラー２４１は、検査室４４０の出入口前面の廊下側の床下に、軸２４１ａがその床と平行で、かつ曲面部の一部が床から露出するよう埋設されている。この軸２４１ａには、ローラー２４１の回動に連動するベルト２４２の一部が接している。また、円板形状を有しているエンコード用反射ユニット２４３の曲面部にもベルト２４２の一部は接している。
【００３３】
エンコード用反射ユニット２４３は、ベルト２４２に連動して回動するよう構成されており、その曲面部にエンコード用のパターンが形成されている。エンコード用反射ユニット２４３の曲面部の一部に対向する位置には、この曲面部のエンコード用のパターンを検出するためのフォトセンサ２４４が２つ備えられている。この曲面部のエンコード用のパターンは、反射部分と非反射部分とから形成されたパターンであり、２つのフォトセンサ２４４の各々と対向する位置にそれぞれ形成されている。これらのフォトセンサ２４４は、このエンコード用のパターンから、エンコード用反射ユニット２４３の回転方向に応じて異なったパターンを検出する。これらのフォトセンサ２４４は、この検出したパターンをパルスデータとしてコントローラ２４５に出力する。このコントローラ２４５は、入力された上記のパルスデータと検査室４４０内の状況とに基づいて、所定の信号を赤外線投光部３４０に送信する。
【００３４】
図５は、本発明の実施形態の無線端末システムの無線通信許可認証処理を示すフローチャートである。この無線通信許可認証処理とは、無線端末１００が移動した場所に応じてその無線端末１００が無線通信を行ってよいか、さらに、どの周波数帯域の電波を使用してよいかを判定する処理である。なお、検査室４１０〜４３０及び４５０に備えられているカートセンサ２１０〜２３０及び２５０において、図４で示すカートセンサ２４０と同一の構成には、同一の符号を付してここでの詳細な説明は省略する。
【００３５】
無線端末１００が検査室４１０〜４５０のいずれかの出入口を通過すると、カート８０の車輪８２は、ローラー２４１の曲面部と接触してローラー２４１が軸２４１ａを中心として回動するように周方向の力を与える（Ｓ１）。２つのフォトセンサ２４４は、ローラー２４１の回転方向に応じてそれぞれ異なったパルスデータをコントローラ２４５に出力する。
【００３６】
図６は、無線端末１００が検査室のいずれかで入退室した際に２つのフォトセンサ２４４がコントローラ２４５に出力するパルスデータを示した図である。図６（ａ）には、無線端末１００が検査室のいずれかに入室した際にこれらのフォトセンサ２４４がコントローラ２４５に出力するパルスデータが示されており、図６（ｂ）には、無線端末１００が検査室のいずれかから退室した際にこれらのフォトセンサ２４４がコントローラ２４５に出力するパルスデータが示されている。
【００３７】
図６（ａ）において、無線端末１００が検査室に入室するとエンコード用反射ユニット２４３は、ローラー２４１とベルト２４２を介して反時計回りに回転する。２つのフォトセンサ２４４の各々は、エンコード用反射ユニット２４３の曲面部に形成された反射部分をＨ（Ｈｉ）、非反射部分をＬ（Ｌｏｗ）として検出する。一方のフォトセンサ２４４に検出されたパルスデータをパルスデータＡとし、もう一方のフォトセンサ２４４に検出されたパルスデータをパルスデータＢとした場合、コントローラ２４５に出力されるパルスデータは、Ｌ・Ｌ、Ｈ・Ｌ、Ｈ・Ｈ、Ｌ・Ｈ（パルスデータＡ・パルスデータＢ）となる。なお、２つのフォトセンサ２４４の各々が検出するパルスが互いにＬとなるときにトリガーが掛かり、コントローラ２４５に出力されるパルスデータは検出される。また、図６（ｂ）において、無線端末１００が検査室から退室するとエンコード用反射ユニット２４３は、ローラー２４１とベルト２４２を介して時計回りに回転する。このときコントローラ２４５に出力されるパルスデータは、Ｌ・Ｌ、Ｌ・Ｈ、Ｈ・Ｈ、Ｈ・Ｌ（パルスデータＡ・パルスデータＢ）となる。すなわち、無線端末１００が検査室に入室したときと退室したときとでは、コントローラ２４５に出力されるパルスデータはそれぞれ異なる。
【００３８】
Ｓ１において、コントローラ２４５に出力されたパルスデータが無線端末１００の退室を示すパルスデータであった場合（Ｓ１：出）、コントローラ２４５は、退室を表す信号を赤外線投光部３４０に送信する。この退室を表す信号を受信した赤外線投光部３４０は、無線端末１００の赤外線レシーバー７２に２０パルスの赤外線信号を送信する。この２０パルスの赤外線信号を受信した無線端末１００は、入室時における無線の設定に関わらず、廊下で使用されている無線アクセスポイント１１０に対応した所定の周波数帯域の無線に設定され（Ｓ１１）、処理は終了する。なお、廊下で使用する所定の周波数帯域の無線は、病院側が設定するものである。
【００３９】
また、Ｓ１において、コントローラ２４５に出力されたパルスデータが無線端末１００の入室を示すパルスデータであった場合（Ｓ１：入）、コントローラ２４５は、無線端末１００が入室した検査室が無線通信を禁止している部屋かどうかを判定する（Ｓ２）。例えばこの検査室が検査室４１０であった場合、この検査室４１０出入口近傍に備えられているカートセンサ２１０のコントローラ内に備えられているＲＯＭには、無線端末１００の検査室４１０内での無線通信を禁止するプログラムが書き込まれているため、無線通信禁止と判定される（Ｓ２：Ｙ）。そしてこのコントローラは、無線通信禁止を表す信号を赤外線投光部３１０に送信する。この無線通信禁止を表す信号を受信した赤外線投光部３１０は、無線端末１００の赤外線レシーバー７２に１０パルスの赤外線信号を送信する。この１０パルスの赤外線信号を受信した無線端末１００は、無線通信を行うことができない状態、すなわちＳＷ１及びＳＷ２がオフにされて無線デバイス７８及び無線デバイス７９に電源電圧が供給されない状態となり（Ｓ２１）、処理は終了する。
【００４０】
また、Ｓ２において、例えばこの検査室が検査室４４０であった場合、カートセンサ２４０のコントローラ２４５内に備えられている図示しないＲＯＭには、無線端末１００の検査室４４０内での無線通信を許可するプログラムが書き込まれているため、無線通信可と判定され（Ｓ２：Ｎ）、Ｓ３へと進む。
【００４１】
そして次に、コントローラ２４５は、入室する検査室において無線端末１００が使用可能な周波数帯域の無線があるかどうかを判定する（Ｓ３）。この処理は、無線端末１００が入室する検査室で許可されている少なくとも１種類の周波数帯域の無線の中から、既にその検査室に入室している他の無線端末が使用していない周波数帯域の無線を、選択するものである。以下に、Ｓ３において、無線端末１００が入室する検査室が検査室４４０である例を説明する。
【００４２】
カートセンサ２４０のコントローラ２４５のＲＯＭには、ＩＥＥＥ８０２．１１ｘとＢｌｕｅｔｏｏｔｈが検査室４４０で使用できる周波数帯域の無線として記憶されている。また、コントローラ２４５内に備えられている図示しないＲＡＭには、コントローラ２４５が赤外線投光部３４０に送信した信号の送信履歴が記憶されている。この送信履歴は、コントローラ２４５が赤外線投光部３４０に送信した信号の内容や、信号を送信した時刻を記憶しているものである。コントローラ２４５は、このＲＡＭに記憶されている送信履歴に基づいて、検査室４４０に無線端末が何台入室しているか、さらには、入室している無線端末がどの周波数帯域の無線を使用しているかを検知することができる。Ｓ３において、コントローラ２４５は、ＲＯＭに記憶されている検査室４４０で使用できる周波数帯域の無線の種類と、ＲＡＭに記憶されている送信履歴から検知する上述の検査室４４０内の無線端末の状態とを比較して、無線端末１００が検査室４４０で使用できる周波数帯域の無線があるかどうかを判定する。
【００４３】
例えば、検査室４４０内に２台の無線端末があり、それらの無線端末がそれぞれＩＥＥＥ８０２．１１ｘとＢｌｕｅｔｏｏｔｈを使用していると送信履歴から検知された場合、コントローラ２４５は検査室４４０内で使用可能な周波数帯域の無線はないと判定する（Ｓ３：Ｎ）。そしてこのコントローラ２４５は、無線通信禁止を表す信号を赤外線投光部３４０に送信する。この無線通信禁止を表す信号を受信した赤外線投光部３４０は、無線端末１００の赤外線レシーバー７２に１０パルスの赤外線信号を送信する。この１０パルスの赤外線信号を受信した無線端末１００は、無線通信を行うことができない状態になり（Ｓ３１）、処理は終了する。
【００４４】
また、例えば、検査室４４０内に１台の無線端末があり、その無線端末がＢｌｕｅｔｏｏｔｈを使用していると送信履歴から検知された場合、コントローラ２４５は検査室４４０内で使用可能な周波数帯域の無線はあると判定する（Ｓ３：Ｙ）。そしてこのコントローラ２４５は、検査室４４０内の無線端末が使用していないＩＥＥＥ８０２．１１ｘの無線通信許可を表す信号を赤外線投光部３４０に送信する。この無線通信禁止を表す信号を受信した赤外線投光部３４０は、無線端末１００の赤外線レシーバー７２に１パルスの赤外線信号を送信する。この１パルスの赤外線信号を受信した無線端末１００は、ＩＥＥＥ８０２．１１ｘで無線通信を行うことができる状態、すなわち、ＳＷ１がオンでＳＷ２がオフにされて無線デバイス７８のみに電源電圧が供給される状態となり（Ｓ３２）、処理は終了する。
【００４５】
また、例えば、検査室４４０内に無線端末がないと送信履歴から検知された場合、コントローラ２４５は検査室４４０内で使用可能な周波数帯域の無線はあると判定する（Ｓ３：Ｙ）。病院側は使用する無線に優先順位をつけることができるため、このように使用できる周波数帯域の無線が複数ある場合、コントローラ２４５は、その病院側で設定された優先順位に基づいて無線端末１００が使用する無線を決定する。Ｂｌｕｅｔｏｏｔｈを優先的に使用するよう設定されていれば、コントローラ２４５はＢｌｕｅｔｏｏｔｈの無線通信許可を表す信号を赤外線投光部３４０に送信する。この無線通信禁止を表す信号を受信した赤外線投光部３４０は、無線端末１００の赤外線レシーバー７２に２パルスの赤外線信号を送信する。この２パルスの赤外線信号を受信した無線端末１００は、Ｂｌｕｅｔｏｏｔｈで無線通信を行うことができる状態、すなわち、ＳＷ１がオフでＳＷ２がオンにされて無線デバイス７９のみに電源電圧が供給される状態となり（Ｓ３２）、処理は終了する。
【００４６】
以上が本発明の実施形態である。本発明はこれらの実施形態に限定されるものではなく様々な範囲で変形が可能である。
【００４７】
【発明の効果】
以上のように本発明の無線端末システムは、無線端末が受信した所定の信号に基づいて所定の周波数帯域の無線通信を禁止するかどうかを判定する判定手段と、その判定手段により所定の周波数帯域の無線通信を禁止すると判定された場合に禁止された所定の周波数帯域の電波の送受信を停止する停止手段とを備えているため、無線端末が無線通信禁止の領域内で確実に電波を発信することがなくなる。その結果、無線端末から発信する電波により他の装置が誤作動することを防止できる。
【００４８】
さらに、同一領域内の無線端末の各々には、それぞれ異なった周波数帯域の無線を使用するようにそれぞれ異なった信号が送信される。すなわち、同一領域内で同じ周波数帯域を使用している無線端末がなくなるため、複数の無線端末が各々発信する電波により混信することがなくなる。その結果、互いの機器から発信する電波による誤作動がなくなる。
【図面の簡単な説明】
【図１】本発明の実施形態に用いられる無線端末の構成を示す正面図である。
【図２】本発明の実施形態に用いられる無線端末の構成を示すブロック図である。
【図３】本発明の実施形態に用いられる病院の無線アクセスポイントが設置されているフロアを示す図である。
【図４】本発明の実施形態に用いられるフロアにある検査室の出入口近傍を示す図である。
【図５】本発明の実施形態の無線端末システムの無線通信許可認証処理を示すフローチャートである。
【図６】本発明の実施形態に用いられる無線端末が検査室を入退室した際にフォトセンサがコントローラに出力するパルスデータを示した図である。
【符号の説明】
７０  無線機
７２  赤外線レシーバー
７８、７９  無線デバイス
１００  無線端末
２１０〜２５０  カートセンサ
３１０〜３５０  赤外線投光部
【図１】
2004266738.tif 000003
【図２】
2004266738.tif 000004
【図３】
2004266738.tif 000005
【図４】
2004266738.tif 000006
【図５】
2004266738.tif 000007
【図６】
2004266738.tif 000008